(57)【要約】【課題】検出回路の数を低減可能な照明装置を提供する。【解決手段】照明装置１００は、第１光源１０と、第１光源１０の周囲に配置される第２光源２０と、点灯装置３０と、第１光源１０の両端電圧Ｖ１を検出する検出回路１３とを備える。点灯装置３０は、第１光源１０の周囲温度（第１周囲温度）を算出する温度算出部２１と、第２光源２０の周囲温度（第２周囲温度）を推定する温度推定部２２とを備える。温度算出部２１は、データテーブルに基づいて、検出回路１３により検出された両端電圧Ｖ１に対応する第１周囲温度を求める。温度推定部２２は、第２周囲温度が、温度算出部２１により算出された第１周囲温度と同じ温度であると推定する。【選択図】図１
2017152144.tif 000002
【特許請求の範囲】
【請求項１】
第１固体発光素子を有する第１光源と、前記第１固体発光素子とは異なる種類の第２固体発光素子を有し前記第１光源の周囲に配置される第２光源と、前記第１光源及び前記第２光源を点灯させる点灯装置と、前記第１光源の両端電圧を検出する検出回路とを備え、
前記点灯装置は、前記第１光源の周囲温度である第１周囲温度を算出する温度算出部と、前記第２光源の周囲温度である第２周囲温度を推定する温度推定部とを備え、
前記温度算出部は、前記両端電圧と前記第１周囲温度とが対応付けられたデータテーブルに基づいて、前記検出回路により検出された前記両端電圧に対応する前記第１周囲温度を求めるように構成され、
前記温度推定部は、前記第２周囲温度が、前記温度算出部により算出された前記第１周囲温度と同じ温度であると推定する
照明装置。
【請求項２】
前記点灯装置は、前記第１光源に電流を供給する第１点灯回路と、前記第２光源に電流を供給する第２点灯回路と、前記第１点灯回路及び前記第２点灯回路を制御する制御部とを、さらに備え、
前記制御部は、前記温度推定部により推定された前記第２周囲温度に基づいて、前記第２光源に流れる電流の電流値が所定値となるように、前記第２点灯回路を制御する
請求項１記載の照明装置。
【請求項３】
前記点灯装置は、前記第２光源の両端電圧を判定する判定部を、さらに備え、
前記判定部は、前記第２周囲温度と前記第２光源の両端電圧とが対応付けられたデータテーブルに基づいて、前記温度推定部により推定された前記第２周囲温度に対応する前記第２光源の両端電圧を判定するように構成され、
前記制御部は、前記第２光源の両端電圧と前記第２光源に流れる電流とが対応付けられたデータテーブルに基づいて、前記判定部により判定された前記第２光源の両端電圧に対応する前記第２光源に流れる電流の電流値が前記所定値となるように、前記第２点灯回路を制御する
請求項２記載の照明装置。
【請求項４】
前記検出回路である第１検出回路とは異なり前記第２光源の両端電圧を検出する第２検出回路を、さらに備え、
前記判定部は、前記第２検出回路により検出された前記第２光源の両端電圧の電圧値が所定範囲にあるか否かを判定するように構成され、
前記制御部は、前記判定部により前記第２光源の両端電圧の電圧値が前記所定範囲にあると判定された場合に、前記第２光源に流れる電流の電流値を増加または減少させ、前記判定部により前記第２光源の両端電圧の電圧値が前記所定範囲にないと判定された場合に、前記温度推定部により推定された前記第２周囲温度に基づいて、前記第２光源に流れる電流の電流値が前記所定値となるように、前記第２点灯回路を制御する
請求項３記載の照明装置。
【請求項５】
前記制御部は、前記温度算出部により算出された前記第１周囲温度と、前記第１検出回路により検出された前記第１光源の前記両端電圧とに基づいて、前記第１光源に流れる電流の電流値を変化させる
請求項２ないし請求項４のいずれか１項に記載の照明装置。
【請求項６】
前記制御部は、前記温度推定部により推定された前記第２周囲温度の変化に基づいて、前記第２光源に流れる電流の電流値を変化させる
請求項２ないし請求項５のいずれか１項に記載の照明装置。
【請求項７】
前記制御部は、前記温度算出部により算出された前記第１周囲温度の変化に基づいて、前記第１光源に流れる電流の電流値を変化させる
請求項２ないし請求項６のいずれか１項に記載の照明装置。
【請求項８】
前記第１固体発光素子は、青色の波長領域の光を放射する固体発光素子である
請求項１ないし請求項７のいずれか１項に記載の照明装置。
【請求項９】
前記第２固体発光素子は、赤色の波長領域、赤外線の波長領域、紫外線の波長領域のうちいずれか１種類の波長領域の光を放射する固体発光素子である
請求項１ないし請求項８のいずれか１項に記載の照明装置。
【請求項１０】
前記検出回路により検出された前記第１光源の前記両端電圧を記憶する記憶部を、さらに備えている
請求項１ないし請求項９のいずれか１項に記載の照明装置。
【発明の詳細な説明】
【技術分野】
【０００１】
本発明は、一般に、照明装置に関し、より詳細には、固体発光素子を有する光源を備えた照明装置に関する。
【背景技術】
【０００２】
従来、複数の半導体発光素子を間欠駆動する際に、各半導体発光素子の動作温度を正確に測定して、各半導体発光素子の劣化が生じない温度環境を維持する光源装置が提案されている（特許文献１）。
【０００３】
特許文献１記載の光源装置は、複数の半導体発光素子と、矩形波状のタイミング信号を発生する投影画像処理部と、各半導体発光素子の駆動電流を調整する投影光処理部とを備えている。投影光処理部は、タイミング信号のオフタイミングに基づいて、各半導体発光素子の電圧値を測定し、その測定結果によって各半導体発光素子の駆動電流を調整する。また、投影光処理部は、各半導体発光素子の電圧値に基づいて各半導体発光素子の温度を測定する。
【先行技術文献】
【特許文献】
【０００４】
【特許文献１】特開２０１１−１２９８４２号公報
【発明の概要】
【発明が解決しようとする課題】
【０００５】
特許文献１記載の光源装置では、投影光処理部が各半導体発光素子の電圧値に基づいて各半導体発光素子の温度（周囲温度）を測定するので、各半導体発光素子の電圧値を検出する検出回路が複数必要となる。そのため、特許文献１記載の光源装置では、検出回路の数を低減することが困難である。
【０００６】
本発明は、上述の事由に鑑みてなされ、本発明の目的は、検出回路の数を低減可能な照明装置を提供することである。
【課題を解決するための手段】
【０００７】
本発明の一態様に係る照明装置は、第１固体発光素子を有する第１光源と、第２固体発光素子を有し前記第１光源の周囲に配置される第２光源と、前記第１光源及び前記第２光源を点灯させる点灯装置と、前記第１光源の両端電圧を検出する検出回路とを備えている。前記第２固体発光素子は、前記第１固体発光素子とは異なる種類の固体発光素子である。前記点灯装置は、前記第１光源の周囲温度である第１周囲温度を算出する温度算出部と、前記第２光源の周囲温度である第２周囲温度を推定する温度推定部とを備えている。前記温度算出部は、データテーブルに基づいて、前記検出回路により検出された前記両端電圧に対応する前記第１周囲温度を求めるように構成されている。前記データテーブルは、前記両端電圧と前記第１周囲温度とが対応付けられている。前記温度推定部は、前記第２周囲温度が、前記温度算出部により算出された前記第１周囲温度と同じ温度であると推定する。
【発明の効果】
【０００８】
本発明の照明装置では、検出回路の数を低減することが可能になる。
【図面の簡単な説明】
【０００９】
【図１】図１は、本発明の一実施形態に係る照明装置のブロック図である。
【図２】図２は、同上の照明装置に関し、光源に流れる電流と光源の両端電圧との波形図である。
【図３】図３Ａは、同上の照明装置に関し、第１光源の両端電圧と第１光源の周囲温度との関係を示すグラフである。図３Ｂは、同上の照明装置に関し、第１光源の光束と第１光源の両端電圧との関係を示すグラフである。
【図４】図４Ａは、同上の照明装置に関し、第２光源の両端電圧と第２光源の周囲温度との関係を示すグラフである。図４Ｂは、同上の照明装置に関し、第２光源の光束と第２光源の両端電圧との関係を示すグラフである。
【図５】図５は、同上の照明装置の制御回路の動作を示すフローチャートである。
【図６】図６Ａは、理想的な光源において、光源の光束維持率と光源の両端電圧の変化率との関係を示すグラフである。図６Ｂは、一般的な光源において、光源の光束維持率と光源の両端電圧の変化率との関係を示すグラフである。
【図７】図７Ａは、同上の照明装置に関し、第１光源の光束と第１光源の周囲温度との関係を示すグラフである。図７Ｂは、同上の照明装置に関し、第２光源の光束と第２光源の周囲温度との関係を示すグラフである。
【発明を実施するための形態】
【００１０】
本実施形態の照明装置１００は、図１に示すように、１つ（または複数）の第１固体発光素子１を有する第１光源１０と、１つ（または複数）の第２固体発光素子２を有し第１光源１０の周囲に配置される第２光源２０とを備えている。また、照明装置１００は、第１光源１０及び第２光源２０を点灯させる点灯装置３０と、第１光源１０の両端電圧Ｖ１を検出する検出回路（第１検出回路）１３とを備えている。第２固体発光素子２は、第１固体発光素子１とは異なる種類の固体発光素子である。点灯装置３０は、第１光源１０の周囲温度である第１周囲温度を算出する温度算出部２１と、第２光源２０の周囲温度である第２周囲温度を推定する温度推定部２２とを備えている。温度算出部２１は、記憶部１９に記憶されたデータテーブル（第１データテーブル）に基づいて、第１検出回路１３により検出された両端電圧Ｖ１に対応する第１周囲温度を求めるように構成されている。第１データテーブルは、両端電圧Ｖ１と第１周囲温度とが対応付けられている。温度推定部２２は、第２周囲温度が、温度算出部２１により算出された第１周囲温度と同じ温度であると推定する。
【００１１】
すなわち、照明装置１００は、第１固体発光素子１と第２固体発光素子２とが異なる種類で、かつ、第２光源２０が第１光源１０の周囲に配置された照明装置である。温度算出部２１は、第１検出回路１３により検出された両端電圧Ｖ１を用いて第１周囲温度を算出する。そして、温度推定部２２は、第２周囲温度が、温度算出部２１により算出された第１周囲温度と同じ温度であると推定する。これにより、照明装置１００では、温度推定部２２が、温度算出部２１のように第２周囲温度を算出するのではなく、第２周囲温度を推定するので、第２光源２０の両端電圧を検出する検出回路が不要となる。その結果、照明装置１００では、第１固体発光素子１と第２固体発光素子２とが異なる種類の構成において、検出回路の数を低減することができる。
【００１２】
ここにおいて、第１周囲温度とは、第１固体発光素子１の雰囲気温度を意味する。第２周囲温度とは、第２固体発光素子２の雰囲気温度を意味する。第２光源２０が第１光源１０の周囲に配置されるとは、第２光源２０が第１光源１０の隣に配置されることが必須ではなく、第２光源２０が第１光源１０の近くに配置されていればよい。
【００１３】
以下、照明装置１００について、図１〜図７Ｂを参照しながら具体的に説明する。
【００１４】
照明装置１００は、図１に示すように、第１光源１０と、第２光源２０と、点灯装置３０と、第１検出回路１３と、第２検出回路１４とを備えている。点灯装置３０は、第１点灯回路１１と、第２点灯回路１２と、制御回路１５とを備えている。照明装置１００は、例えば、住宅用または店舗用の照明装置として用いられる。なお、照明装置１００は、第２検出回路１４を備えているが、第２検出回路１４を備えていなくてもよい。つまり、第２検出回路１４は、必須ではない。
【００１５】
第１光源１０は、第１固体発光素子１と第１蛍光体とを有している。第１固体発光素子１は、第２固体発光素子２よりも、順電圧の温度特性が常温（例えば、１５〜２５℃）付近で良好な固体発光素子である。第１固体発光素子１は、窒化ガリウム（ＧａＮ）を主として含有する。すなわち、第１固体発光素子１は、青色の波長領域の光を放射する固体発光素子である。本実施形態では、第１固体発光素子１は、青色ＬＥＤ（Light Emitting Diode）チップである。第１蛍光体は、例えば、黄色蛍光体である。第１蛍光体は、第１固体発光素子１を覆う。要するに、第１光源１０は、白色の波長領域の光を放射するように構成されている。ここにおいて、主として含有するとは、その材料だけが含まれているわけではなく、他の材料も含まれており、主として含有する材料が他の材料よりも多く含まれていることを意味する。
【００１６】
第２光源２０は、第２固体発光素子２を有している。第２固体発光素子２は、ガリウム砒素（ＧａＡｓ）を主として含有する。第２固体発光素子２は、例えば、赤色の波長領域の光を放射する固体発光素子である。本実施形態では、第２固体発光素子２は、赤色ＬＥＤチップである。また、本実施形態では、第２光源２０は、第１光源１０と組み合わせた際に（第１光源１０の周囲に配置したときに）、照明装置１００全体で白色の波長領域の光を放射するように構成されている。なお、第２固体発光素子２は、赤色の波長領域の光を放射する固体発光素子であるが、これに限らない。第２固体発光素子２は、例えば、赤外線または紫外線の波長領域の光を放射する固体発光素子であってもよい。
【００１７】
第１点灯回路１１は、外部電源５０から電力が供給されるように構成されている。外部電源５０は、交流電源（例えば、商用電源）である。また、第１点灯回路１１は、外部電源５０から供給される電力に基づいて、第１光源１０を点灯させるように構成されている。第１点灯回路１１は、例えば、昇降圧チョッパ回路である。第１点灯回路１１は、第１光源１０に電流（直流電流）を供給する。なお、外部電源５０は、交流電源に限らず、直流電源であってもよい。
【００１８】
第２点灯回路１２は、第１点灯回路１１と同様に、外部電源５０から供給される電力に基づいて、第２光源２０を点灯させるように構成されている。第２点灯回路１２は、例えば、昇降圧チョッパ回路である。第２点灯回路１２は、第２光源２０に電流（直流電流）を供給する。
【００１９】
制御回路１５は、第１点灯回路１１及び第２点灯回路１２を制御するように構成されている。制御回路１５は、例えば、マイクロコンピュータ（プロセッサ）である。制御回路１５は、図１に示すように、制御部１６と、判定部１７と、選択部１８と、記憶部１９と、温度算出部２１と、温度推定部２２とを備えている。本実施形態では、制御部１６は、マイクロコンピュータのＣＰＵ（Central Processing Unit）である。記憶部１９は、マイクロコンピュータのメモリ（例えば、不揮発性メモリ）である。記憶部１９には、マイクロコンピュータを制御回路１５として機能させるためのプログラムが記憶されている。なお、プログラムは、記憶部１９に予め記録されていてもよいし、記録媒体（例えば、メモリカード）に記録されて提供されたり、電気通信回線（例えば、インターネット）を通して提供されたりしてもよい。
【００２０】
制御部１６は、第１点灯回路１１及び第２点灯回路１２を制御する。詳細には、制御部１６は、第１点灯回路１１から供給される電流の電流値を変化させるように、第１点灯回路１１を制御する。また、制御部１６は、第２点灯回路１２から供給される電流の電流値を変化させるように、第２点灯回路１２を制御する。なお、判定部１７、選択部１８、温度算出部２１、温度推定部２２については、後述する。
【００２１】
第１検出回路１３は、第１光源１０の両端電圧（第１両端電圧）Ｖ１を検出するように構成されている。第１両端電圧Ｖ１は、第１光源１０のアノード側の端子と、第１光源１０のカソード側の端子との間の電圧である。
【００２２】
第２検出回路１４は、第２光源２０の両端電圧（第２両端電圧）Ｖ２を検出するように構成されている。第２両端電圧Ｖ２は、第２光源２０のアノード側の端子と、第２光源２０のカソード側の端子との間の電圧である。
【００２３】
選択部１８は、制御部１６が第１点灯回路１１及び第２点灯回路１２を制御するための２つの制御モードを択一的に選択するように構成されている。２つの制御モードは、第１制御モードと、第２制御モードとからなる。
【００２４】
第１制御モードは、第１点灯回路１１から第１光源１０に電流（第１検出電流）Ｉａａを供給する制御モードと、第２点灯回路１２から第２光源２０に電流（第２検出電流）Ｉｂａを供給する制御モードとを含む。第１検出電流Ｉａａは、第１検出回路１３が第１両端電圧Ｖ１を検出するための電流である。第２検出電流Ｉｂａは、第２検出回路１４が第２両端電圧Ｖ２を検出するための電流である。
【００２５】
第２制御モードは、第１点灯回路１１から第１光源１０に電流（第１点灯電流）Ｉａｂを供給する制御モードと、第２点灯回路１２から第２光源２０に電流（第２点灯電流）Ｉｂｂを供給する制御モードとを含む。第１点灯電流Ｉａｂは、第１光源１０を点灯させるための電流である。第２点灯電流Ｉｂｂは、第２光源２０を点灯させるための電流である。
【００２６】
選択部１８は、第１検出回路１３及び第２検出回路１４が、対応する第１両端電圧Ｖ１及び第２両端電圧Ｖ２を検出する場合に、第１制御モードを選択する。また、選択部１８は、第１点灯回路１１及び第２点灯回路１２が、対応する第１光源１０及び第２光源２０を点灯させる場合に、第２制御モードを選択する。本実施形態では、選択部１８は、外部電源５０から第１点灯回路１１及び第２点灯回路１２に電力の供給が開始された時点（図２中のｔ０）で、第１制御モードを選択する。また、選択部１８は、第１制御モードを選択した後に、第２制御モードを選択する。なお、本実施形態では、判定部１７が、外部電源５０から第１点灯回路１１及び第２点灯回路１２に電力の供給が開始されたか否かを判定する機能を有している。
【００２７】
第１点灯回路１１は、選択部１８の選択に基づき、第１検出電流Ｉａａと第１点灯電流Ｉａｂとのいずれか一方を第１光源１０に供給する。第２点灯回路１２は、第１点灯回路１１と同様に、選択部１８の選択に基づき、第２検出電流Ｉｂａと第２点灯電流Ｉｂｂとのいずれか一方を第２光源２０に供給する。すなわち、本実施形態では、例えば図２に示すように、第１検出回路１３が第１両端電圧Ｖ１を検出する時間（検出時間）Ｔｄと、第１点灯回路１１が第１光源１０を点灯させる時間（点灯時間）Ｔｅとが存在する。
【００２８】
検出時間Ｔｄは、外部電源５０から第１点灯回路１１に電力の供給が開始された時点（図２中のｔ０）から、第１両端電圧Ｖ１が第１光源１０の点灯電圧に達した時点（図２中のｔ１）までの時間である。点灯時間Ｔｅは、第１両端電圧Ｖ１が第１光源１０の点灯電圧に達した時点以降の時間である。第１光源１０の点灯電圧とは、第１固体発光素子１の閾値電圧により定まる電圧を意味する。本実施形態では、判定部１７が、第１両端電圧Ｖ１が第１光源１０の点灯電圧に達したか否かを判定する機能を有している。検出時間Ｔｄは、外部電源５０から第１点灯回路１１に電力の供給が開始された時点から、第１両端電圧Ｖ１が第１光源１０の点灯電圧に達した時点までの時間であるが、これに限らない。検出時間Ｔｄは、予め決められた時間であってもよい。なお、第２検出回路１４が第２両端電圧Ｖ２を検出する時間は、検出時間Ｔｄと同じ時間であるため、説明を省略する。また、第２点灯回路１２が第２光源２０を点灯させる時間は、点灯時間Ｔｅと同じ時間であるため、説明を省略する。
【００２９】
判定部１７は、選択部１８が第１制御モードを選択するとき、第１検出回路１３により検出された第１両端電圧Ｖ１の電圧値が所定範囲にあるか否かを判定するように構成されている。また、判定部１７は、選択部１８が第１制御モードを選択するとき、第２検出回路１４により検出された第２両端電圧Ｖ２の電圧値が所定範囲にあるか否かを判定するように構成されている。所定範囲は、判定対象の光源（第１光源１０または第２光源２０）の光束が減少していると判定部１７が判定する範囲である。言い換えれば、所定範囲は、判定対象の光源が経年劣化していると判定部１７が判定する範囲である。つまり、判定部１７は、選択部１８が第１制御モードを選択するとき、第１光源１０及び第２光源２０の経年劣化を判定する。
【００３０】
所定範囲は、図２に示すように、第１範囲Ｈ１と第２範囲Ｈ２とを含むことが好ましい。第１範囲Ｈ１は、第１電圧値Ｖｔ１以上、かつ、第２電圧値Ｖｔ２以下の範囲である。第２範囲Ｈ２は、第２電圧値Ｖｔ２よりも大きく、かつ、第３電圧値Ｖｔ３以下の範囲である。第１電圧値Ｖｔ１は、ゼロよりも大きい。第２電圧値Ｖｔ２は、第１電圧値Ｖｔ１よりも大きい。第３電圧値Ｖｔ３は、第２電圧値Ｖｔ２よりも大きい。第１範囲Ｈ１は、判定対象の光源が経年劣化し始めていると判定部１７が判定する範囲である。第２範囲Ｈ２は、判定対象の光源が第１範囲Ｈ１の場合よりも経年劣化が進んでいると判定部１７が判定する範囲である。図２中のｔｘ１は、判定部１７が、判定対象の光源の両端電圧（第１両端電圧Ｖ１または第２両端電圧Ｖ２）の電圧値が所定範囲にあるか否かを判定する時点を表している。なお、所定範囲は、データとして、記憶部１９に記憶されている。
【００３１】
制御部１６は、判定部１７により第１両端電圧Ｖ１の電圧値が所定範囲にあると判定された場合、選択部１８が第２制御モードを選択するときに、第１光源１０の累積点灯時間に対して第１点灯電流Ｉａｂの電流値が増加するように、第１点灯回路１１を制御する。すなわち、制御部１６は、選択部１８が第２制御モードを選択するとき、第１光源１０の経年劣化を考慮して、第１点灯電流Ｉａｂの電流値を増加させる。これにより、照明装置１００では、第１光源１０が経年劣化するに伴って第１光源１０の光束が減少するのを抑制可能となる。なお、本実施形態では、マイクロコンピュータのタイマが、第１光源１０の累積点灯時間を計時している。
【００３２】
また、制御部１６は、判定部１７により第２両端電圧Ｖ２の電圧値が所定範囲にあると判定された場合、選択部１８が第２制御モードを選択するとき、第２光源２０の累積点灯時間に対して第２点灯電流Ｉｂｂの電流値が増加するように第２点灯回路１２を制御する。すなわち、制御部１６は、選択部１８が第２制御モードを選択するとき、第２光源２０の経年劣化を考慮して、第２点灯電流Ｉｂｂの電流値を増加させる。これにより、照明装置１００では、第２光源２０が経年劣化するに伴って第２光源２０の光束が減少するのを抑制可能となる。なお、本実施形態では、マイクロコンピュータのタイマが、第２光源２０の累積点灯時間を計時している。
【００３３】
温度算出部２１は、判定部１７により第１両端電圧Ｖ１の電圧値が所定範囲にないと判定された後、第１周囲温度を算出するように構成されている。詳細には、温度算出部２１は、記憶部１９に記憶された第１データテーブルに基づいて、第１検出回路１３により検出された第１両端電圧Ｖ１に対応する第１周囲温度を求める。第１データテーブルは、図３Ａに示すように、第１両端電圧Ｖ１と第１周囲温度とが対応付けられている。これにより、照明装置１００では、第１光源１０の周囲に別途サーミスタ等を配置する必要がなく、サーミスタ等を用いた場合よりも簡易な構成で、第１光源１０の周囲温度を測定可能になる。図３Ａの縦軸は、第１両端電圧Ｖ１を相対値で表している。図３Ａの横軸は、第１周囲温度を表している。
【００３４】
温度算出部２１は、判定部１７により第１両端電圧Ｖ１が所定範囲にあるか否かを判定する時点（図２中のｔｘ１）から規定時間（第１規定時間）Ｔｃが経過した後、第１周囲温度を算出することが好ましい。これにより、温度算出部２１は、第１両端電圧Ｖ１が安定するとき（第１両端電圧Ｖ１の電圧値がほぼ一定となるとき）に、第１周囲温度を算出するので、第１周囲温度を算出するときの精度を高めることが可能になる。図２中のｔｘ２は、温度算出部２１が第１周囲温度を算出する時点を表している。なお、温度算出部２１が第１周囲温度を算出する時点は、第１両端電圧Ｖ１が第１光源１０の点灯電圧に達する時点（図２中のｔ１）よりも前の時点である。
【００３５】
ここで、記憶部１９には、第１検出回路１３により検出された第１両端電圧Ｖ１が記憶されることが好ましい。この場合、第１検出回路１３は、選択部１８が第１制御モードを選択するとき、第１両端電圧Ｖ１を記憶部１９に記憶する。これにより、温度算出部２１は、記憶部１９に記憶された第１両端電圧Ｖ１を用いて第１周囲温度を算出できるので、例えば、第１両端電圧Ｖ１の変動による影響を受け難く、第１周囲温度を算出するときの精度が低下するのを抑制可能となる。
【００３６】
また、第１検出回路１３は、選択部１８が第１制御モードを選択するときに、複数の第１両端電圧Ｖ１を記憶部１９に記憶することが好ましい。これにより、温度算出部２１は、複数の第１両端電圧Ｖ１の平均値を用いて第１周囲温度を算出できるので、１つの第１両端電圧Ｖ１を用いた場合に比べて、第１周囲温度を算出するときの精度を高めることが可能になる。なお、第１検出回路１３は、選択部１８が第１制御モードを選択するときに限らず、選択部１８が第２制御モードを選択するときに、１つまたは複数の第１両端電圧Ｖ１を記憶部１９に記憶してもよい。
【００３７】
温度推定部２２は、判定部１７により第２両端電圧Ｖ２の電圧値が所定範囲にないと判定された後、第２周囲温度を推定するように構成されている。詳細には、温度推定部２２は、第２周囲温度が、温度算出部２１により算出された第１周囲温度と同じ温度であると推定する。これにより、照明装置１００では、第２光源２０の周囲に別途サーミスタ等を配置する必要がなく、サーミスタ等を用いた場合よりも簡易な構成で、第２光源２０の周囲温度を測定可能になる。
【００３８】
判定部１７は、第１両端電圧Ｖ１の電圧値が所定範囲にないと判定した場合、記憶部１９に記憶された第２データテーブルに基づいて、第１検出回路１３により検出された第１両端電圧Ｖ１に対応する第１光源１０の光束を判定する。第２データテーブルは、図３Ｂに示すように、第１光源１０の光束と第１両端電圧Ｖ１とが対応付けられている。図３Ｂの縦軸は、第１光源１０の光束を相対値で表している。図３Ｂの横軸は、第１両端電圧Ｖ１を相対値で表している。
【００３９】
制御部１６は、判定部１７により第１両端電圧Ｖ１の電圧値が所定範囲にないと判定され選択部１８が第２制御モードを選択するとき、判定部１７により判定された第１光源１０の光束が基準値（本実施形態では、１００％）となるように、第１点灯回路１１を制御する。言い換えれば、制御部１６は、判定部１７により第１両端電圧Ｖ１の電圧値が所定範囲にないと判定され選択部１８が第２制御モードを選択するとき、第１点灯電流Ｉａｂが所定値（第１所定値）となるように、第１点灯回路１１を制御する。詳細には、制御部１６は、記憶部１９に記憶された第３データテーブルに基づいて、第１検出回路１３により検出された第１両端電圧Ｖ１に対応する第１点灯電流Ｉａｂの電流値が第１所定値となるように、第１点灯回路１１を制御する。第３データテーブルは、第１点灯電流Ｉａｂと第１両端電圧Ｖ１とが対応付けられている。なお、第１所定値は、第１光源１０の光束を基準値にするための電流の値である。
【００４０】
制御部１６は、選択部１８が第２制御モードを選択するとき、第１光源１０の周囲温度を考慮して、第１光源１０の光束が基準値となるように、第１点灯電流Ｉａｂの電流値を調整する。これにより、照明装置１００では、照明装置１００が設置された場所の温度（環境温度）に係らず、第１光源１０の光束を一定に保つことが可能になる。
【００４１】
判定部１７は、第２両端電圧Ｖ２の電圧値が所定範囲にないと判定した場合、記憶部１９に記憶された第４データテーブルに基づいて、温度推定部２２により推定された第２周囲温度に対応する第２両端電圧Ｖ２を判定する。第４データテーブルは、図４Ａに示すように、第２両端電圧Ｖ２と第２周囲温度とが対応付けられている。図４Ａの縦軸は、第２両端電圧Ｖ２を相対値で表している。図４Ａの横軸は、第２周囲温度を表している。
【００４２】
また、判定部１７は、第４データテーブルに基づき第２周囲温度に対応する第２両端電圧Ｖ２を判定した後、記憶部１９に記憶された第５データテーブルに基づいて、第２両端電圧Ｖ２に対応する第２光源２０の光束を判定する。第５データテーブルは、図４Ｂに示すように、第２光源２０の光束と第２両端電圧Ｖ２とが対応付けられている。図４Ｂの縦軸は、第２光源２０の光束を相対値で表している。図４Ｂの横軸は、第２両端電圧Ｖ２を相対値で表している。
【００４３】
制御部１６は、判定部１７により第２両端電圧Ｖ２の電圧値が所定範囲にないと判定され選択部１８が第２制御モードを選択するとき、判定部１７により判定された第２光源２０の光束が基準値（本実施形態では、１００％）となるように、第２点灯回路１２を制御する。言い換えれば、制御部１６は、判定部１７により第２両端電圧Ｖ２の電圧値が所定範囲にないと判定され選択部１８が第２制御モードを選択するとき、第２点灯電流Ｉｂｂが第２所定値となるように、第２点灯回路１２を制御する。詳細には、制御部１６は、記憶部１９に記憶された第６データテーブルに基づいて、判定部１７により判定された第２両端電圧Ｖ２に対応する第２点灯電流Ｉｂｂの電流値が第２所定値となるように、第２点灯回路１２を制御する。第６データテーブルは、第２点灯電流Ｉｂｂと第２両端電圧Ｖ２とが対応付けられている。なお、第２所定値は、第２光源２０の光束を基準値にするための電流の値である。
【００４４】
制御部１６は、選択部１８が第２制御モードを選択するとき、第２光源２０の周囲温度を考慮して、第２光源２０の光束が基準値となるように、第２点灯電流Ｉｂｂの電流値を調整する。これにより、照明装置１００では、照明装置１００が設置される場所の温度に係らず、第２光源２０の光束を一定に保つことが可能になる。
【００４５】
以下、制御回路１５の動作について、図５に基づいて説明する。なお、図５中のＡ１は、第１周囲温度を表している。図５中のＡ２は、第２周囲温度を表している。
【００４６】
選択部１８は、外部電源５０から第１点灯回路１１及び第２点灯回路１２に電力の供給が開始されたとき（図５中のＳ１）、第１制御モードを選択する。
【００４７】
判定部１７は、選択部１８が第１制御モードを選択するとき、第１検出回路１３により検出された第１両端電圧Ｖ１の電圧値が所定範囲にあるか否かを判定する（図５中のＳ２）。また、判定部１７は、選択部１８が第１制御モードを選択するとき、第２検出回路１４により検出された第２両端電圧Ｖ２の電圧値が所定範囲にあるか否かを判定する。
【００４８】
制御部１６は、判定部１７により第１両端電圧Ｖ１の電圧値が所定範囲にあると判定された場合（図５中のＳ２のＹｅｓ）、選択部１８が第２制御モードを選択するとき、第１光源１０の累積点灯時間に対して第１点灯電流Ｉａｂの電流値を増加させる（図５中のＳ３）。また、制御部１６は、判定部１７により第２両端電圧Ｖ２の電圧値が所定範囲にあると判定された場合、選択部１８が第２制御モードを選択するときに、第２光源２０の累積点灯時間に対して第２点灯電流Ｉｂｂの電流値を増加させる。
【００４９】
温度算出部２１は、判定部１７により第１両端電圧Ｖ１の電圧値が所定範囲にないと判定された場合（図５中のＳ２のＮｏ）、第１周囲温度を算出する（図５中のＳ４）。温度推定部２２は、判定部１７により第２両端電圧Ｖ２の電圧値が所定範囲にないと判定された場合、第２周囲温度を推定する（図５中のＳ５）。
【００５０】
制御部１６は、選択部１８が第２制御モードを選択するとき、判定部１７の判定結果に従って第１光源１０の光束が基準値となるように、第１点灯電流Ｉａｂの電流値を調整する（図５中のＳ６）。また、制御部１６は、選択部１８が第２制御モードを選択するとき、判定部１７の判定結果に従って第２光源２０の光束が基準値となるように、第２点灯電流Ｉｂｂの電流値を調整する。
【００５１】
したがって、制御部１６は、選択部１８が第２制御モードを選択するとき、第１光源１０の経年劣化及び周囲温度を考慮して、第１光源１０に流れる電流（第１点灯電流Ｉａｂ）の電流値を変化させる。言い換えれば、制御部１６は、選択部１８が第２制御モードを選択するとき、温度算出部２１により算出された第１周囲温度と、第１検出回路１３により検出された第１両端電圧Ｖ１とに基づいて、第１点灯電流Ｉａｂの電流値を変化させる。これにより、照明装置１００では、第１光源１０の経年劣化及び周囲温度に従って、第１光源１０に流れる電流を変化させることが可能になる。よって、照明装置１００では、第１光源１０の周囲温度に応じて第１光源１０の光束を一定に保つことが可能になる。また、照明装置１００では、第１光源１０が経年劣化するに伴って、第１光源１０の光束が減少するのを抑制可能になる。
【００５２】
また、制御部１６は、選択部１８が第２制御モードを選択するとき、第２光源２０の経年劣化及び周囲温度を考慮して、第２光源２０に流れる電流（第２点灯電流Ｉｂｂ）の電流値を変化させる。言い換えれば、制御部１６は、選択部１８が第２制御モードを選択するとき、温度推定部２２により推定された第２周囲温度と、第２検出回路１４により検出された第２両端電圧Ｖ２とに基づいて、第２点灯電流Ｉｂｂの電流値を変化させる。これにより、照明装置１００では、第２光源２０の経年劣化及び周囲温度に従って、第２光源２０に流れる電流を変化させることが可能になる。よって、照明装置１００では、第２光源２０の周囲温度に応じて第２光源２０の光束を一定に保つことが可能になる。また、照明装置１００では、第２光源２０が経年劣化するに伴って、第２光源２０の光束が減少するのを抑制可能になる。
【００５３】
ところで、理想的な光源は、図６Ａに示すように、第１特性Ｋ１と第２特性Ｋ２とがほぼ同じ特性を有する。図６Ａの縦軸は、光源の光束維持率を表している。図６Ａの横軸は、光源の両端電圧の変化率を表している。第１特性Ｋ１は、光源の経年劣化を考慮した場合における光源の光束維持率と光源の両端電圧の変化率との関係を示す特性である。第２特性Ｋ２は、光源の周囲温度を考慮した場合における光源の光束維持率と光源の両端電圧の変化率との関係を示す特性である。光束維持率とは、光源を初めて点灯させた時（初期点灯時）の光束と、初期点灯時から任意時間が経過した時の光束との比の百分率を意味する。
【００５４】
理想的な光源では、光源の両端電圧を用いて光源の光束維持率を変化させる場合、光源の周囲温度を無視することができるので、光源の経年劣化のみを考慮すればよい。
【００５５】
しかしながら、第１光源１０及び第２光源２０に限らず、一般的な光源は、図６Ｂに示すように、第１特性Ｋ１と第２特性Ｋ２とが異なる特性を有する。図６Ｂの縦軸は、光源の光束維持率を表している。図６Ｂの横軸は、光源の両端電圧の変化率を表している。
【００５６】
一般的な光源では、光源の両端電圧を用いて光源の光束維持率を変化させる場合、光源の周囲温度を無視することができず、光源の経年劣化だけでなく、光源の周囲温度も考慮する必要がある。
【００５７】
照明装置１００は、上述のように、第１光源１０及び第２光源２０の経年劣化と、第１光源１０及び第２光源２０の周囲温度とを考慮して、第１点灯電流Ｉａｂ及び第２点灯電流Ｉｂｂの電流値を変化させる。これにより、照明装置１００では、光源（第１光源１０及び第２光源２０）の経年劣化及び周囲温度に従って、光源に流れる電流を変化させることが可能になる。よって、照明装置１００では、光源の周囲温度に応じて光源の光束を一定に保つことが可能になる。また、照明装置１００では、光源が経年劣化するに伴って、光源の光束が減少するのを抑制可能になる。
【００５８】
ここで、温度算出部２１は、選択部１８が第１制御モードを選択するとき、第１周囲温度を算出するように構成されているが、この構成に限らない。温度算出部２１は、選択部１８が第１制御モードを選択するときに加えて、選択部１８が第２制御モードを選択するときに、第１周囲温度を算出するように構成されていてもよい。この場合、制御部１６は、温度算出部２１により算出された第１周囲温度の変化に基づいて、第１点灯電流Ｉａｂの電流値を変化させることが好ましい。
【００５９】
具体的に説明すると、温度算出部２１は、選択部１８が第２制御モードを選択するとき、第１所定時間における複数の第１周囲温度を算出して、第１周囲温度の変化（変化率）を求める。制御部１６は、温度算出部２１の算出結果（第１周囲温度の変化）に基づいて、第１光源１０の光束が基準値となるように、第１点灯電流Ｉａｂの電流値を変化させる。詳細には、制御部１６は、記憶部１９に記憶された第７データテーブルに基づいて、第１光源１０の光束が基準値となるように、第１点灯電流Ｉａｂの電流値を変化させる。第７データテーブルは、図７Ａに示すように、第１光源１０の光束と第１周囲温度とが対応付けられている。これにより、照明装置１００では、選択部１８が第２制御モードを選択するとき、照明装置１００が設置された場所の温度の変化に起因して第１光源１０の周囲温度が変化したとしても、第１光源１０の光束を一定に保つことが可能になる。なお、図７Ａの縦軸は、第１光源１０の光束を相対値で表している。図７Ａの横軸は、第１周囲温度を表している。
【００６０】
また、温度推定部２２は、選択部１８が第１制御モードを選択するとき、第２周囲温度を推定するように構成されているが、この構成に限らない。温度推定部２２は、選択部１８が第１制御モードを選択するときに加えて、選択部１８が第２制御モードを選択するときに、第２周囲温度を推定するように構成されていてもよい。この場合、制御部１６は、温度推定部２２により推定された第２周囲温度の変化に基づいて、第２点灯電流Ｉｂｂの電流値を変化させることが好ましい。
【００６１】
具体的に説明すると、温度推定部２２は、選択部１８が第２制御モードを選択するとき、第２所定時間における複数の第２周囲温度を推定して、第２周囲温度の変化（変化率）を求める。第２所定時間は、例えば、第１所定時間と同じ時間である。制御部１６は、温度推定部２２の推定結果（第２周囲温度の変化）に基づいて、第２光源２０の光束が基準値となるように、第２点灯電流Ｉｂｂの電流値を変化させる。詳細には、制御部１６は、記憶部１９に記憶された第８データテーブルに基づいて、第２光源２０の光束が基準値となるように、第２点灯電流Ｉｂｂの電流値を変化させる。第８データテーブルは、図７Ｂに示すように、第２光源２０の光束と第２周囲温度とが対応付けられている。これにより、照明装置１００では、選択部１８が第２制御モードを選択するとき、照明装置１００が設置された場所の温度の変化に起因して第２光源２０の周囲温度が変化したとしても、第２光源２０の光束を一定に保つことが可能になる。なお、図７Ｂの縦軸は、第２光源２０の光束を相対値で表している。図７Ｂの横軸は、第２周囲温度を表している。
【００６２】
以上説明したように、本実施形態の照明装置１００は、第２光源２０が第１光源１０の周囲に配置された照明装置である。第２固体発光素子２は、第１固体発光素子１とは異なる種類の固体発光素子である。温度算出部２１は、検出回路（第１検出回路）１３により検出された両端電圧Ｖ１を用いて第１周囲温度を算出する。温度推定部２２は、第２周囲温度が、温度算出部２１により算出された第１周囲温度と同じ温度であると推定する。
【００６３】
この構成によれば、照明装置１００では、温度推定部２２が、温度算出部２１のように第２周囲温度を算出するのではなく、第２周囲温度を推定するので、第２光源２０の両端電圧Ｖ２を検出する検出回路が不要となる。その結果、照明装置１００では、第１固体発光素子１と第２固体発光素子２とが異なる種類の構成において、検出回路の数を低減することが可能になる。また、照明装置１００では、検出回路の数を低減することができるので、特許文献１記載の光源装置よりも、小型化を図ることが可能になる。また、照明装置１００では、第１光源１０及び第２光源２０それぞれの周囲に別途サーミスタ等を配置する必要がなく、マイクロコンピュータのハードウェア及びソフトウェアを用いて温度算出部２１及び温度推定部２２の機能を実現できる。その結果、照明装置１００では、サーミスタ等を用いた場合よりも簡易な構成で、第１光源１０及び第２光源２０の周囲温度を測定可能になる。
【００６４】
点灯装置３０は、第１光源１０に電流（第１検出電流Ｉａａ及び第１点灯電流Ｉａｂ）を供給する第１点灯回路１１と、第２光源２０に電流（第２検出電流Ｉｂａ及び第２点灯電流Ｉｂｂ）を供給する第２点灯回路１２とを、さらに備えていることが好ましい。また、点灯装置３０は、第１点灯回路１１及び第２点灯回路１２を制御する制御部１６を、さらに備えていることが好ましい。制御部１６は、温度推定部２２により推定された第２周囲温度に基づいて、第２光源２０に流れる電流の電流値が所定値（第２所定値）となるように、第２点灯回路１２を制御することが好ましい。
【００６５】
この構成によれば、照明装置１００では、照明装置１００が設置された場所の温度（環境温度）に係らず、第２光源２０の光束を一定に保つことが可能になる。
【００６６】
また、点灯装置３０は、第２光源２０の両端電圧Ｖ２を判定する判定部１７を、さらに備えていることが好ましい。判定部１７は、データテーブル（第４データテーブル）に基づいて、温度推定部２２により推定された第２周囲温度に対応する第２光源２０の両端電圧Ｖ２を判定するように構成されていることが好ましい。第４データテーブルは、第２周囲温度と第２光源２０の両端電圧Ｖ２とが対応付けられている。制御部１６は、データテーブル（第６データテーブル）に基づいて、判定部１７により判定された第２光源２０の両端電圧Ｖ２に対応する第２光源２０に流れる電流の電流値が上記所定値となるように、第２点灯回路１２を制御することが好ましい。第６データテーブルは、第２光源２０の両端電圧Ｖ２と第２光源２０に流れる電流とが対応付けられている。
【００６７】
この構成によっても、照明装置１００では、照明装置１００が設置された場所の温度に係らず、第２光源２０の光束を一定に保つことが可能になる。
【００６８】
また、照明装置１００は、第２光源２０の両端電圧Ｖ２を検出する第２検出回路１４を、さらに備えていることが好ましい。第２検出回路１４は、第１検出回路１３とは異なる。判定部１７は、第２検出回路１４により検出された第２光源２０の両端電圧Ｖ２の電圧値が所定範囲にあるか否かを判定するように構成されていることが好ましい。制御部１６は、判定部１７により第２光源２０の両端電圧Ｖ２の電圧値が所定範囲にあると判定された場合、第２光源２０に流れる電流の電流値を増加または減少させるように、第２点灯回路１２を制御することが好ましい。また、制御部１６は、判定部１７により第２光源２０の両端電圧Ｖ２の電圧値が所定範囲にないと判定された場合、温度推定部２２により推定された第２周囲温度に基づいて、第２光源２０に流れる電流の電流値が上記所定値となるように、第２点灯回路１２を制御することが好ましい。
【００６９】
この構成によれば、照明装置１００では、第２光源２０の周囲温度に応じて第２光源２０の光束を一定に保つことが可能になる。また、照明装置１００では、例えば、第２光源２０が経年劣化するに伴って、第２光源２０の光束が減少するのを抑制可能になる。
【００７０】
制御部１６は、温度算出部２１により算出された第１周囲温度と、第１検出回路１３により検出された第１光源１０の両端電圧Ｖ１とに基づいて、第１光源１０に流れる電流（第１点灯電流Ｉａｂ）の電流値を変化させることが好ましい。
【００７１】
この構成によれば、照明装置１００では、第２光源２０の場合と同様に、第１光源１０の周囲温度に応じて第１光源１０の光束を一定に保つことが可能になる。また、照明装置１００では、例えば、第１光源１０が経年劣化するに伴って、第１光源１０の光束が減少するのを抑制可能になる。
【００７２】
制御部１６は、温度推定部２２により推定された第２周囲温度の変化に基づいて、第２光源２０に流れる電流（第２点灯電流Ｉｂｂ）の電流値を変化させることが好ましい。
【００７３】
この構成によれば、照明装置１００では、選択部１８が第２制御モードを選択するとき、照明装置１００が設置された場所の温度の変化に起因して第２光源２０の周囲温度が変化したとしても、第２光源２０の光束を一定に保つことが可能になる。
【００７４】
制御部１６は、温度算出部２１により算出された第１周囲温度の変化に基づいて、第１光源１０に流れる電流（第１点灯電流Ｉａｂ）の電流値を変化させることが好ましい。
【００７５】
この構成によれば、照明装置１００では、選択部１８が第２制御モードを選択するとき、照明装置１００が設置された場所の温度の変化に起因して第１光源１０の周囲温度が変化したとしても、第１光源１０の光束を一定に保つことが可能になる。
【００７６】
第１固体発光素子１は、青色の波長領域の光を放射する固体発光素子であることが好ましい。
【００７７】
この構成によれば、照明装置１００では、第１固体発光素子１は、順電圧の温度特性が常温付近で、比較的良好な固体発光素子となる。その結果、温度算出部２１は、第１周囲温度を算出するときの精度を高めることが可能になる。
【００７８】
第２固体発光素子２は、赤色の波長領域、赤外線の波長領域、紫外線の波長領域のうちいずれか１種類の波長領域の光を放射する固体発光素子であることが好ましい。
【００７９】
この構成によれば、照明装置１００では、第２光源２０に流れる電流（第２点灯電流Ｉｂｂ）の電流値を調整し易くなり、例えば、第２光源２０の周囲温度に応じて第２光源２０の光束を一定に保ち易くなる。
【００８０】
照明装置１００は、検出回路１３により検出された第１光源１０の両端電圧Ｖ１を記憶する記憶部１９を、さらに備えていることが好ましい。
【００８１】
この構成によれば、照明装置１００では、温度算出部２１が、記憶部１９に記憶された第１両端電圧Ｖ１を用いて第１周囲温度を算出できる。その結果、照明装置１００では、例えば、第１両端電圧Ｖ１の変動による影響を受け難く、第１周囲温度を算出するときの精度が低下するのを抑制可能になる。
【００８２】
所定範囲は、判定対象の光源（第１光源１０または第２光源２０）が経年劣化していると判定部１７が判定する範囲であるが、これに限らない。所定範囲は、判定対象の光源の寿命が近づいていると判定部１７が判定する範囲であってもよい。この場合、制御部１６は、判定部１７にて第１両端電圧Ｖ１の電圧値が所定範囲にあると判定された場合、選択部１８が第２制御モードを選択するとき、第１光源１０の累積点灯時間に対して第１点灯電流Ｉａｂの電流値が減少するように第１点灯回路１１を制御する。すなわち、制御部１６は、選択部１８が第２制御モードを選択するとき、第１光源１０の寿命を考慮して、第１点灯電流Ｉａｂの電流値を減少させる。これにより、照明装置１００では、第１光源１０の長寿命化を図ることが可能になる。なお、第２光源２０の場合の動作は、第１光源１０の場合の動作と同じであるため、説明を省略する。
【００８３】
選択部１８は、外部電源５０から第１点灯回路１１及び第２点灯回路１２に電力の供給が開始された時点で、第１制御モードを選択するように構成されているが、この構成に限らない。選択部１８は、例えば、第１点灯回路１１及び第２点灯回路１２に電力の供給が開始された時点の直後に、第１制御モードを選択するように構成されていてもよい。また、選択部１８は、例えば、マイクロコンピュータのタイマにより計時される時間が第２規定時間を経過した時点で、第１制御モードを選択するように構成されていてもよい。
【００８４】
第１検出回路１３及び第２検出回路１４は、点灯装置３０の外部に設けられているが、点灯装置３０の内部に設けられていてもよい。
【００８５】
制御回路１５は、マイクロコンピュータに限らず、例えば、ＡＳＩＣ（Application Specific Integrated Circuit）、ＦＰＧＡ（Field Programmable Gate Array）、制御用ＩＣ（Integrated Circuit）等であってもよい。
【００８６】
照明装置１００は、住宅用または店舗用の照明装置として用いられるが、これに限らず、例えば、車載用の照明装置として用いられてもよい。
【符号の説明】
【００８７】
１  第１固体発光素子
２  第２固体発光素子
１０  第１光源
１１  第１点灯回路
１２  第２点灯回路
１３  検出回路（第１検出回路）
１４  第２検出回路
１６  制御部
１７  判定部
１９  記憶部
２０  第２光源
２１  温度算出部
２２  温度推定部
３０  点灯装置
１００  照明装置
【図１】
2017152144.tif 000003
【図２】
2017152144.tif 000004
【図３】
2017152144.tif 000005
【図４】
2017152144.tif 000006
【図５】
2017152144.tif 000007
【図６】
2017152144.tif 000008
【図７】
2017152144.tif 000009